(57)【特許請求の範囲】
【請求項１】
画面表示器が内蔵された電子機器用収納筐体であって、
外部から前記画面表示器を目視可能にする窓部と、前記窓部の外周を囲むように形成された溝部とを有するフレーム部材と、
前記窓部を覆った透過性のパネルと、
前記溝部に設けられることで前記窓部の外周を囲むように設けられた吸水部材と、
前記窓部および前記溝部を覆って前記フレーム部材に接着部を介して固定された透過性の保護シートと
を備え、
前記フレーム部材は、前記保護シートを係止する係止部を有し、前記係止部の前記保護シートに対して垂直方向の長さは、前記保護シートおよび前記接着部をあわせた肉厚と同じ、または前記肉厚よりも大きくなるように形成され、
前記吸水部材の前記保護シート側の面には、水溶性のインキあるいは水分に触れて変色するインキによって文様が印刷され、前記保護シートの外部から目視可能にされていることを特徴とする電子機器用収納筐体。
【請求項２】
前記吸水部材は、前記保護シートによって前記溝部に押圧されていることを特徴とする請求項１に記載の電子機器用収納筐体。
【請求項３】
前記保護シートは、さらに前記パネルに接着固定されていることを特徴とする請求項１または請求項２に記載の電子機器用収納筐体。
【請求項４】
前記保護シートの前記フレーム部材側の面には、不透明なインキが塗布された印刷層が形成されていることを特徴とする請求項１から請求項３までの何れか１項に記載の電子機器用収納筐体。
【請求項５】
前記保護シートは可撓性を有し、前記パネルは、入力装置であるタッチパネルであることを特徴とする請求項１から請求項４までの何れか１項に記載の電子機器用収納筐体。
【請求項６】
前記パネルは、前記画面表示器の破損保護用の樹脂製保護パネルであることを特徴とする請求項１から請求項４までの何れか１項に記載の電子機器用収納筐体。
【発明の詳細な説明】
【技術分野】
【０００１】
この発明は、画面表示器を内蔵した電子機器用収納筐体に関する。
【背景技術】
【０００２】
従来の印刷装置の操作パネル装置は、表面に押下力を付与して入力を行うタッチパネルを有し、タッチパネルの表面側には、光透過性の保護シートが設けられている。
ここで、この保護シートの大きさを、その端面位置がタッチパネルの端面位置よりも外側に位置するサイズとし、また、保護シートの端面付近を、端面に近づくに従って徐々に下方に傾斜させることにより、保護シートの表面を伝って保護シートの端面部分より下方に流れ込んだ液体が、タッチパネルの端面部分に流れ込むことを防止している（例えば、特許文献１参照）。
【０００３】
【特許文献１】特開２００２−７９７２１号公報
【発明の開示】
【発明が解決しようとする課題】
【０００４】
従来の印刷装置の操作パネル装置では、保護シートの大きさを、その端面位置がタッチパネルの端面位置よりも外側に位置するサイズとし、保護シートの端面付近を下方に傾斜させて液体の流れ込みを防止している。
しかしながら、経年によって保護シートと底面プレート部材（本発明の「フレーム部材」に相当する）との粘着力が劣化して保護シートと底面プレート部材とが剥離すると、保護シートと底面プレート部材との間に隙間が生じるため、その隙間に液体が流れ込み、タッチパネル（本発明の「パネル」に相当する）の端面部分に達することを完全に防止することができないという問題点があった。
【０００５】
この発明は、上記のような問題点を解決することを課題とするものであって、その目的は、パネルへの液体の流れ込みを抑制することができる電子機器用収納筐体を提供することである。
【課題を解決するための手段】
【０００６】
この発明に係る電子機器用収納筐体は、画面表示器が内蔵された電子機器用収納筐体であって、外部から画面表示器を目視可能にする窓部と、窓部の外周を囲むように形成された溝部とを有するフレーム部材と、窓部を覆った透過性のパネルと、溝部に設けられることで前記窓部の外周を囲むように設けられた吸水部材と、窓部および溝部を覆ってフレーム部材に接着部を介して固定された透過性の保護シートとを備え、フレーム部材は、保護シートを係止する係止部を有し、係止部の保護シートに対して垂直方向の長さは、保護シートおよび接着部をあわせた肉厚と同じ、または肉厚よりも大きくなるように形成され、吸水部材の保護シート側の面には、水溶性のインキあるいは水分に触れて変色するインキによって文様が印刷され、保護シートの外部から目視可能にされているものである。
【発明の効果】
【０００７】
この発明の電子機器用収納筐体によれば、フレーム部材に窓部の外周を囲むように溝部を形成してその溝部に吸水部材を設け、溝部を覆って保護シートを接着固定することにより、吸水部材が保護シートとフレーム部材との間に浸入した水分を吸収するので、パネルへの液体の流れ込みを抑制することができる。
【発明を実施するための最良の形態】
【０００８】
以下、この発明の各実施の形態について図に基づいて説明するが、各図において同一、または相当する部材、部位については、同一符号を付して説明する。
【０００９】
実施の形態１．
図１は、この発明の実施の形態１に係る電子機器用収納筐体１を制御盤３１の一部とともに示す断面図、図２は、図１の電子機器用収納筐体１の要部拡大図、図３は、図１の電子機器用収納筐体１の上面図である。
図において、電子機器用収納筐体１は、樹脂製のフレーム部材２と樹脂製のカバー部材３とを一体化して形成されており、画面表示器である液晶表示器４が内蔵されている。
この電子機器用収納筐体１は、制御盤３１のモニタ部兼入力部として用いられるものである。
【００１０】
フレーム部材２の周縁部には、制御盤３１と係合する外周鍔部５が形成されている。外周鍔部５には、防水性を有する弾性パッキン６が挿入されたパッキン溝７が設けられている。また、フレーム部材２には、固定ネジ８と螺合する図示しないネジ穴が設けられた保持金具９が取り付けられている。保持金具９は、電子機器用収納筐体１の各面にそれぞれ設けられている。
制御盤３１の板金部１０に設けられた開口部１１には、電子機器用収納筐体１が挿入されている。電子機器用収納筐体１と制御盤３１とは、弾性パッキン６を介して係合している。
ここで、各固定ネジ８を回転させることにより、固定ネジ８の先端部が板金部１０に当接して板金部１０が弾性パッキン６を押圧し、電子機器用収納筐体１が制御盤３１に偏ることなく均等に固定される。
【００１１】
液晶表示器４は、フレーム部材２の内縁部と、樹脂製のスペーサ１３とによって挟持されている。スペーサ１３の四隅には、カバー部材３が固定された支柱１２が一体成形されている。スペーサ１３は、液晶表示器４に供給する電源を制御する第１の電子基板１４とともに、固定ネジ１５によってフレーム部材２に固定されている。
支柱１２には、カバー部材３と、液晶表示器４の信号を制御する第２の電子基板１６とが固定ネジ１７によって固定されている。
【００１２】
また、フレーム部材２には、外部から液晶表示器４を目視可能にする窓部１８と、窓部１８の外周を囲むように設けられた溝部１９と、保護シート２６を係止する係止部２０とが形成されている。
窓部１８は、接着部２１を介してフレーム部材２に固定され入力機能を有するタッチパネル２２によって覆われている。タッチパネル２２は、透過性である樹脂あるいはガラスによって形成されている。
溝部１９には、多孔質構造の上質紙で形成された吸水部材２３が、接着部２４を介して固定されている。
窓部１８および溝部１９は、接着部２５ａ、２５ｂを介して固定された透過性である保護シート２６によって覆われている。
ここで、保護シート２６は、フレーム部材２のみではなく、タッチパネル２２にも接着固定されている。
【００１３】
接着部２１、２４、２５ａ、２５ｂは、いずれも紙製あるいはポリエチレンテレフタラート製の基材の両面にアクリル樹脂系の粘着材を塗布した両面テープによって形成されており、容易に取り替えることが可能なものである。
例えばタッチパネル２２をフレーム部材２に取り付ける場合、まず、両面テープの片面がタッチパネル２２に接着され、両面テープの残りの面がフレーム部材２に接着される。
【００１４】
吸水部材２３の保護シート２６側の面には、水溶性のインキによって文様が印刷されており、保護シート２６の外部から目視可能にされている。この変容性のインキによる文様は、水分に触れると溶解して吸水部材２３に染み込んで変化し、溶解したことが視認できるようになっている。
ここで、吸水部材２３および接着部２４をあわせた肉厚は、吸水部材２３が保護シート２６によって溝部１９に押圧され、保護シート２６と吸水部材２３との間に隙間が生じないように、保護シート２６と溝部１９の底面との間の長さよりも大きく形成されている。
【００１５】
保護シート２６は、ポリエチレンテレフタラートで構成されて遮水性および可撓性を有しており、タッチパネル２２の汚損を防止する。
保護シート２６のフレーム部材２側の面には、接着部２５ａ、２５ｂを覆うように不透明なインキが塗布された印刷層２７ａ、２７ｂが形成されており、接着部２５ａ、２５ｂを外部から目視不可能にしている。
ここで、係止部２０の保護シート２６に対して垂直方向の長さは、保護シート２６表面の清掃時等に端面から保護シート２６の剥離が生じないように、保護シート２６および接着部２５ａをあわせた肉厚と同じか、または保護シート２６および接着部２５ａをあわせた肉厚よりも大きくなるように形成されている。
【００１６】
以下、上記構成の電子機器用収納筐体１に水分が浸入しようとした場合の作用について説明する。
保護シート２６とフレーム部材２との間の接着部２５ａの接着力の劣化により、保護シート２６とフレーム部材２とが剥離すると、保護シート２６とフレーム部材２との間に隙間が生じ、その隙間に水分が浸入する。
浸入した水分は、溝部１９に達した際に吸水部材２３に吸収される。水分が吸水部材２３に吸収されると、吸水部材２３に印刷された文様が溶解して吸水部材２３に染み込み、文様が変化する。
【００１７】
ここで、吸水部材２３が保護シート２６によって溝部１９に押圧され、保護シート２６と吸水部材２３との間に隙間が生じないようになっているので、水分が吸水部材２３を超えてタッチパネル２２側に漏れることが防止される。
また、水分が吸水部材２３の吸収可能な水分量を超えて浸入した場合であっても、接着部２５ｂが保護シート２６とフレーム部材２との間のみではなく、保護シート２６とタッチパネル２２との間にも広い面積で設けられているため、接着部２５ｂで剥離が生じる可能性は低く、タッチパネル２２への浸水が抑制される。
【００１８】
吸水部材２３に印刷された文様が吸収された水分によって溶解し、文様が変化したことを確認した場合には、保護シート２６および接着部２５ａ、２５ｂを剥がして吸水部材２３を交換し、新しい両面テープを用いて保護シート２６を再度接着固定する。
【００１９】
この発明の実施の形態１に係る電子機器用収納筐体１によれば、フレーム部材２に窓部１８の外周を囲むように溝部１９が形成されてその溝部１９に吸水部材２３が設けられ、溝部１９を覆って保護シート２６が接着固定されている。
そのため、吸水部材２３が保護シート２６とフレーム部材２との間に浸入した水分を吸収するので、タッチパネル２２への水分の流れ込みを抑制することができる。
【００２０】
また、吸水部材２３が保護シート２６によって溝部１９に押圧され、保護シート２６と吸水部材２３との間に隙間が生じないようになっている。
そのため、水分が吸水部材２３を超えてタッチパネル２２側に漏れることを防止することができる。
【００２１】
また、吸水部材２３の保護シート２６側の面には、水溶性のインキによって文様が印刷されており、保護シート２６の外部から目視可能にされているので、タッチパネル２２とフレーム部材２との間に水分が浸入し、吸水部材２３に吸収されたことを視認することができる。
そのため、タッチパネル２２に水分が浸入する前に接着部２５ａの補修あるいは交換を促すことができ、予防保全を図ることができる。
【００２２】
また、係止部２０の保護シート２６に対して垂直方向の長さは、保護シート２６および接着部２５ａをあわせた肉厚と同じか、または保護シート２６および接着部２５ａをあわせた肉厚よりも大きくなるように形成されている。
そのため、保護シート２６表面の清掃時等において保護シート２６の端面から剥離が発生して進行することを防ぐことができる。
【００２３】
また、接着部２５ｂは、保護シート２６とフレーム部材２との間のみではなく、保護シート２６とタッチパネル２２との間にも広い面積で設けられている。
そのため、接着部２５ｂで剥離が生じる可能性を低減し、さらにタッチパネル２２への浸水が抑制される。
【００２４】
また、保護シート２６のフレーム部材２側の面には、接着部２５ａ、２５ｂを覆うように不透明なインキが塗布された印刷層２７ａ、２７ｂが形成されており、接着部２５ａ、２５ｂを外部から目視不可能にしている。
そのため、接着部２５ａ、２５ｂによる見栄えの悪化を防止して、外観を良くすることができる。
【００２５】
また、保護シート２６は可撓性を有しているので、保護シート２６に押圧力を付与して入力を行うタッチパネル２２の操作を容易に行うことができる。
【００２６】
実施の形態２．
図４は、この発明の実施の形態２に係る電子機器用収納筐体１を示す断面図である。
この電子機器用収納筐体１は、図示しない携帯電話等のモニタ部として用いられるものである。
図において、パネルは、液晶表示器４を破損から保護するための樹脂製保護パネル２８である。
また、第２の電子基板１６は、固定ネジ１７によってカバー部材３に直接取り付けられている。
また、フレーム部材２とカバー部材３とが弾性パッキン２９を介して、固定ネジ３０によって互いに固定されている。
その他の構成および上記構成の電子機器用収納筐体１に水分が浸入しようとした場合の作用については、上記実施の形態１と同様であり、その説明は省略する。
【００２７】
この発明の実施の形態２に係る電子機器用収納筐体１によれば、上記実施の形態１と同様に、吸水部材２３が保護シート２６とフレーム部材２との間に浸入した水分を吸収するので、樹脂製保護パネル２８への水分の流れ込みを抑制することができる。
【００２８】
また、液晶表示器４を覆うパネルは、樹脂製保護パネル２８であるので、液晶表示器４の破損を保護することができる。
【００２９】
なお、上記実施の形態１および２では、吸水部材２３に印刷された文様は、水溶性のインキによって印刷されているとしたが、勿論このものに限定されるものではなく、この文様は、水分に触れて変色するインキによって印刷されてもよい。
このものの場合も、水分が浸入したことが保護シート２６の外部から視認することができるので、上記実施の形態１および２と同様の効果を奏することができる。
【００３０】
また、上記実施の形態１で示したタッチパネル２２を有する電子機器用収納筐体１を携帯電話等のモニタ部兼入力部として用いてもよいし、上記実施の形態２で示した樹脂製保護パネル２８を有する電子機器用収納筐体１を制御盤３１のモニタ部として用いてもよい。
このものの場合も、上記実施の形態１および２と同様の効果を奏することができる。
【００３１】
また、上記実施の形態１および２において、この電子機器用収納筐体１は、制御盤３１および携帯電話に用いられるものとしたが、勿論このものに限定されるものではなく、他の電子機器に用いられてもよい。
このものの場合も、上記実施の形態１および２と同様の効果を奏することができる。
【図面の簡単な説明】
【００３２】
【図１】この発明の実施の形態１に係る電子機器用収納筐体を制御盤の一部とともに示す断面図である。
【図２】図１の電子機器用収納筐体の要部拡大図である。
【図３】図１の電子機器用収納筐体の上面図である。
【図４】この発明の実施の形態２に係る電子機器用収納筐体を示す断面図である。
【符号の説明】
【００３３】
１  電子機器用収納筐体、２  フレーム部材、４  液晶表示器（画面表示器）、１８  窓部、１９  溝部、２０  係止部、２１、２４、２５ａ、２５ｂ  接着部、２２  タッチパネル（パネル）、２３  吸水部材、２６  保護シート、２７  印刷層、２８  樹脂製保護パネル（パネル）。
【図１】
0004652174.tif 000002
【図２】
0004652174.tif 000003
【図３】
0004652174.tif 000004
【図４】
0004652174.tif 000005